(57)【要約】本体５の内部の清掃を簡易に行うことができながら、区画体９にて仕切る貯留空間７と排出空間８との間での密閉を精度よく行える排水トラップ１を提供する。受入部２と排出部３とに連通する内部空間４を備えた有底筒状の本体５、蓋体６、及び、本体５の内部空間４を貯留空間と排出空間とに仕切る区画体９とを備えた排水トラップ１において、区画体９が、内部空間４に挿入取付可能であり、区画体９及び本体５の側壁部５ａに、上下方向での押圧力を受け、区画体９の一部を側壁部５ａの一部に上下方向に沿った成分の力を作用させつつ密着する密閉部１４を備え、貯留空間に設定量以上の液体が貯留した際に貯留空間から排出空間に液体を流通させるべく浮上する弁体１５と、弁体１５を受け止め支持する弁座１６とを区画体９に設けてある。
2007116531.tif 000002
【特許請求の範囲】
【請求項１】
受入部と排出部とに連通する内部空間を備えた有底筒状の本体と、
前記内部空間を閉塞する蓋体と、
前記内部空間を、前記受入部から液体を受け入れて貯留する貯留空間と前記排出部に液体を排出する排出空間とに仕切る区画体とを備えた排水トラップであって、
前記区画体が、前記内部空間に挿入取付可能であり、
前記区画体及び前記本体の側壁部に、上下方向での押圧力を受け、前記区画体の一部を前記側壁部の一部に上下方向に沿った成分の力を作用させつつ密着する密閉部を備え、
前記貯留空間に設定量以上の液体が貯留した際に前記貯留空間から前記排出空間に液体を流通させるべく浮上する弁体と、前記弁体を受け止め支持する弁座とを前記区画体に設けた排水トラップ。
【請求項２】
前記本体の側壁部に備える前記密閉部が前記側壁部の全周に亘って設けた段部であり、且つ、前記区画体に備える前記密閉部を前記区画体の周方向の全周に亘って設けている請求項１に記載の排水トラップ。
【請求項３】
前記区画体及び前記本体の側壁部に備える前記密閉部が、前記蓋体の前記本体への取り付けにより前記蓋体から上下方向での押圧力を受けるように構成してある請求項１又は２に記載の排水トラップ。
【請求項４】
前記蓋体と前記内部空間に挿入した前記区画体との間に、前記蓋体に対して密着し且つ前記区画体との間での摩擦係数を小さくしたシールド部材を設け、
前記蓋体は、前記内部空間に挿入した前記区画体との間に前記シールド部材を介在させた状態で前記本体及び前記蓋体に形成したねじ部の螺合により前記本体に取付可能である請求項３に記載の排水トラップ。
【請求項５】
前記本体の底部の全体を前記貯留空間とする請求項１に記載の排水トラップ。
【請求項６】
前記本体及び前記区画体は透明で、且つ、前記弁体は前記本体に対して識別可能な有色である請求項１に記載の排水トラップ。
【請求項７】
前記区画体は、上下反転した状態で前記内部空間に挿入したときに前記内部空間から上方側に突出する脚部を備えている請求項１に記載の排水トラップ。
【請求項８】
平面視における前記本体の側壁部の形状及び前記区画体の形状が、前記内部空間に前記区画体を挿入するときの前記内部空間に対する前記区画体の水平方向での位置を適正位置に規制する形状に形成してある請求項１に記載の排水トラップ。
【請求項９】
前記内部空間に前記区画体を挿入取付した状態で前記側壁部の前記排出部に向う前記排出空間の一部を前記排出部の下端部と同じ高さとする高さ調整部材を、前記区画体に備える前記密閉部に上下から挟み込む状態で設ける樹脂部材にて形成している請求項１に記載の排水トラップ。
【発明の詳細な説明】
【技術分野】
【０００１】
本発明は、受入部と排出部とに連通する内部空間を備えた有底筒状の本体と、前記内部空間を閉塞する蓋体と、前記内部空間を、前記受入部から液体を受け入れて貯留する貯留空間と前記排出部に液体を排出する排出空間とに仕切る区画体とを備えた排水トラップに関する。
【背景技術】
【０００２】
上記のような排水トラップは、例えば、空調機のドレンなどの液体を汚水桝に排水する排水経路中に設けている。そして、排水トラップは、貯留空間に設定量以上の液体が貯留した際に貯留空間から排出空間に液体を流通させるべく浮上する常閉式の弁体を備え、貯留空間に貯留する液体の水封作用及び弁体の閉じ作用によって、汚染空気や臭気などの逆流を防止するものである。【０００３】
従来の排水トラップでは、ボール状の弁体を備えてその弁体の移動を案内する筒状の弁体案内筒を備え、本体の内部空間を貯留空間と排出空間とに仕切る区画体を本体に一体的に設け、その区画体に弁体を受け止め支持する弁座を一体的に設け、弁体案内筒を本体の内部空間に挿入取付可能に構成してある（例えば、特許文献１参照。）。
この特許文献１に記載の排水トラップでは、区画体が、側面視において本体の内部空間をＬ字状の貯留空間と矩形状の排出空間とに仕切る板状体にて構成してある。そして、板状体である区画体は、本体の側壁部から内方側に延びる状態で本体に一体的に設けてある。また、弁座は、貯留空間と排出空間とを連通する開口部に対応して区画体に配置してある。
【特許文献１】特開昭５２−３０５７号公報
【発明の開示】
【発明が解決しようとする課題】
【０００４】
上記特許文献１に記載の排水トラップでは、区画体が本体に一体的に設けてあり、その区画体に弁座を一体的に設けているので、弁体案内筒を本体の内部空間に挿入取付した状態で蓋体を本体に取り付けることにより排水トラップを形成する。
そして、本体の内部を清掃する必要が生じたときには、弁体案内筒を本体の内部空間から取り外して本体の内部を清掃する。しかしながら、区画体は本体に一体的に設けてあるので、弁体案内筒を内部空間から取り外しても、本体の側壁部や底部が区画体にて遮られている。上記特許文献１に記載の排水トラップでは、受入部が設けられている本体の側壁部やその側壁部と対向する区画体の一部、及び、本体の底部の全体やその底部に対向する区画体の一部が遮られている。したがって、その遮られた本体の側壁部や本体の底部及び区画体の一部については、例えば、区画体に形成した開口部から清掃具を挿入して清掃しなければならず、清掃が行い難いものであった。
また、排水トラップでは、貯留空間に液体を貯留することから、貯留空間を形成する本体の側壁部や底部及び区画体の一部が汚れ易い。そして、上記特許文献１に記載の排水トラップでは、側面視においてＬ字状の貯留空間を形成してあり、液体が流通する通路幅が狭く汚れなどの詰まりが生じ易いことからも、貯留空間を形成する本体の側壁部や底部及び区画体の一部に対する清掃の必要性が高いものとなっている。しかしながら、上記特許文献１に記載の排水トラップでは、貯留空間を形成する本体の側壁部や底部及び区画体の一部が遮られているので、清掃の必要性が高い箇所が清掃を行うことが困難になっており、清掃が困難であることが顕著な問題となっている。【０００５】
本発明は、かかる点に着目してなされたものであり、その目的は、本体の内部の清掃を簡易に行うことができる排水トラップを提供する点にある。
【課題を解決するための手段】
【０００６】
この目的を達成するために、本発明にかかる排水トラップの特徴構成は、受入部と排出部とに連通する内部空間を備えた有底筒状の本体と、前記内部空間を閉塞する蓋体と、前記内部空間を、前記受入部から液体を受け入れて貯留する貯留空間と前記排出部に液体を排出する排出空間とに仕切る区画体とを備え、前記区画体が、前記内部空間に挿入取付可能であり、前記区画体及び前記本体の側壁部に、上下方向での押圧力を受け、前記区画体の一部を前記側壁部の一部に上下方向に沿った成分の力を作用させつつ密着する密閉部を備え、前記貯留空間に設定量以上の液体が貯留した際に前記貯留空間から前記排出空間に液体を流通させるべく浮上する弁体と、前記弁体を受け止め支持する弁座とを前記区画体に設けた点にある。【０００７】
前記区画体を本体の内部空間に挿入して取り付けるときに、区画体及び本体の側壁部に備える密閉部が上下方向での押圧力を受ける。そして、区画体及び本体の側壁部に備える密閉部は、その押圧力にて区画体の一部を側壁部の一部に上下方向に沿った成分の力を作用させつつ密着する。このように、区画体に備える密閉部は、上下方向に沿った成分の力にて本体の側壁部に備える密閉部を押圧しながら密着するので、区画体及び本体の側壁部に備える密閉部の密着を精度よく行える。
そして、内部空間に挿入取付した区画体は、本体の内部空間から取り外すことができ、その区画体に弁体及び弁座を設けている。したがって、区画体を本体の内部空間から取り外すことにより、区画体にて遮られていた本体の側壁部や底部を開放することができて、本体の内部の清掃を簡易に行うことができる。
以上のことから、本体の内部の清掃を簡易に行うことができながら、区画体にて仕切る貯留空間と排出空間との間の密閉を精度よく行える排水トラップを提供できるに至った。【０００８】
本発明にかかる排水トラップの別の特徴構成は、前記本体の側壁部に備える前記密閉部が前記側壁部の全周に亘って設けた段部であり、且つ、前記区画体に備える前記密閉部を前記区画体の周方向の全周に亘って設けている点にある。【０００９】
前記区画体を本体の内部空間に挿入取付するときに、区画体の周方向の全周に亘って設けた密閉部を本体の側壁部の全周に亘って設けた段部に上下方向に沿った成分の力を作用させつつ密着することになる。このように、本体の内部空間を貯留空間と排出空間とに上下方向に仕切り、本体の側壁部の全周に亘って密閉部の密着による効果を発揮できるので、貯留空間と排出空間との間の密閉をより一層精度よく且つ的確に行えることになる。【００１０】
本発明にかかる排水トラップの別の特徴構成は、前記区画体及び前記本体の側壁部に備える前記密閉部が、前記蓋体の前記本体への取り付けにより前記蓋体から上下方向での押圧力を受けるように構成している点にある。【００１１】
前記区画体及び本体の側壁部に備える密閉部は、前記蓋体を本体に取り付けるときに蓋体から上下方向での押圧力を受けて、上下方向に沿った成分の力を作用させつつ密着する。したがって、蓋体の本体への取り付けとは別に、区画体及び本体の側壁部に備える密閉部に上下方向での押圧力を与える必要がなく、密閉部の密着を容易に行うことができる。【００１２】
本発明にかかる排水トラップの別の特徴構成は、前記蓋体と前記内部空間に挿入した前記区画体との間に、前記蓋体に対して密着し且つ前記区画体との間での摩擦係数を小さくしたシールド部材を設け、前記蓋体は、前記内部空間に挿入した前記区画体との間に前記シールド部材を介在させた状態で前記本体及び前記蓋体に形成したねじ部の螺合により前記本体に取付可能である点にある。【００１３】
前記蓋体は、本体及び蓋体に形成したねじ部の螺合により本体に取付可能であるので、蓋体を本体へ取り付けるときに、区画体及び本体の側壁部に備える密閉部に対して上下方向での押圧力を的確に与えることができる。
そして、蓋体と内部空間に挿入した区画体との間に介在させるシールド部材は、蓋体に対して密着し且つ区画体との間での摩擦係数が小さいので、本体及び蓋体に形成したねじ部を螺合させるときに、シールド部材が蓋体に密着しながら区画体との間でのすべりを許容する。したがって、内部空間に挿入した区画体をシールド部材にて押圧しながら、本体への蓋体の取付を的確に行うことができる。【００１４】
本発明にかかる排水トラップの別の特徴構成は、前記本体の底部の全体を前記貯留空間とする点にある。【００１５】
前記本体の底部の全体を貯留空間とするので、平面視での貯留空間の面積を大きくできる。したがって、貯留空間の高さを極力低く抑えながら、貯留空間として必要な容積を確保することができるので、排水トラップの高さを極力低く抑えることができて小型化を図ることができる。【００１６】
本発明にかかる排水トラップの別の特徴構成は、前記本体及び前記区画体は透明で、且つ、前記弁体は前記本体に対して識別可能な有色である点にある。【００１７】
前記本体に区画体を挿入した状態において、本体の外部から弁体を視認することができる。したがって、弁体の位置を確認することにより、区画体及び弁体を適正な位置に取り付けているか否かの確認を容易に行うことができる。【００１８】
本発明にかかる排水トラップの別の特徴構成は、前記区画体が、上下反転した状態で前記内部空間に挿入したときに前記内部空間から上方側に突出する脚部を備えている点にある。【００１９】
前記区画体を上下反転した状態で内部空間に挿入すると、内部空間から上方側に脚部が突出して蓋体を本体に取り付けることができない。したがって、区画体を内部空間に挿入するときに、上下方向での区画体の向きを誤ることを抑制できる。【００２０】
本発明にかかる排水トラップの別の特徴構成は、平面視における前記本体の側壁部の形状及び前記区画体の形状が、前記内部空間に前記区画体を挿入するときの前記内部空間に対する前記区画体の水平方向での位置を適正位置に規制する形状に形成している点にある。【００２１】
前記内部空間に区画体を挿入するときに、内部空間に対する区画体の水平方向での位置が適正位置であると、平面視における本体の側壁部の形状及び区画体の形状による規制を受けず、区画体を内部空間に挿入することができる。そして、内部空間に対する区画体の水平方向での位置が適正位置以外であると、平面視における本体の側壁部の形状及び区画体の形状による規制を受けて、区画体を内部空間に挿入することができない。したがって、区画体を内部空間に挿入取付するときに、内部空間に対する区画体の水平方向での位置を誤ることを抑制できる。【００２２】
本発明にかかる排水トラップの別の特徴構成は、前記内部空間に前記区画体を挿入取付した状態で前記側壁部の前記排出部に向う前記排出空間の一部を前記排出部の下端部と同じ高さとする高さ調整部材を、前記区画体に備える前記密閉部に上下から挟み込む状態で設ける樹脂部材にて形成している点にある。【００２３】
前記区画体に備える密閉部に上下から挟み込む状態で樹脂部材を設けているので、区画体に備える密閉部と本体の側壁部に備える密閉部との間に樹脂部材を介在させて密着することになる。したがって、密閉部の密着をより一層精度よく且つ的確に行うことができる。
そして、高さ調整部材を設けて排出部に向う排出空間の一部を排出部の下端部と同じ高さとすることにより、排出部に向う排出空間の一部での液体の貯留を抑制できる。したがって、貯留による液体の腐食の発生を抑制することができる。しかも、高さ調整部材を樹脂部材にて形成しているので、高さ調整部材を形成するためにあらたに部材を設ける必要がなく、それだけ構成の簡素化を図ることができる。
【発明を実施するための最良の形態】
【００２４】
本発明にかかる排水トラップの実施形態を図面に基づいて説明する。
図１〜図４に示すように、この排水トラップ１は、受入部２と排出部３とに連通する内部空間４を備えた有底筒状の本体５と、内部空間４を閉塞する蓋体６と、内部空間４を受入部２から液体を受け入れて貯留する貯留空間７と排出部３に液体を排出する排出空間８とに仕切る区画体９とを備えている。
図１は排水トラップ１の縦断面図であり、図２は図１のＢ−Ｂ断面図であり、図３は図１のＡ−Ａ断面図であり、図４は排水トラップ１の外観斜視図であり、図５は排水トラップ１の分解斜視図である。【００２５】
前記本体５は、底部を平らな面状とする円筒状に形成してある。前記受入部２と排出部３とは、水平方向に延びる流路にて形成してあり、本体５の側面部において対向する位置に配設してある。そして、受入部２の配設箇所と排出部３の配設箇所とは、受入部２の方が排出部３よりも微小高さ（例えば、５ｍｍ）だけ高くなるように高低差が付けられている。このように受入部２と排出部３との間に高低差を付けることにより、受入部２から排出部３に向けて液体が流動し易いように構成している。【００２６】
前記区画体９は、円筒状の第１区画部１０と第１区画部１０からその周方向の全周に亘って外方側に延設する板状の第２区画部１１とから構成している。前記第１区画部１０は、周方向の一部を上下方向に沿って切り欠いた切欠部１２及び開口部１３を有している。そして、開口部１３は、切欠部１２と対向する位置に配置してある。前記第２区画部１１は、第１区画部１０の周方向において切欠部１２の中央部に相当する位置を最下位とし且つその切欠部１２の中央部に対向する位置を最上位とするように第１区画部１０の周方向の全周に亘って一連に傾斜する状態で設けてある。【００２７】
前記区画体９は、本体５の内部空間４に挿入取付可能であり、本体５の内部空間に挿入取付した状態において、本体５の内部空間４の下方側を貯留空間７に且つ内部空間４の上方側を排出空間８に仕切るように構成してある。このように区画体９が内部空間４を仕切ることにより、本体５の底部の全体を貯留空間７としている。
そして、貯留空間７に設定量以上の液体が貯留した際に貯留空間７から排出空間８に液体を流通させるべく浮上するボール状の弁体１５と、弁体１５を受け止め支持する弁座１６とを区画体９に設けている。前記弁座１６は、第１区画部１０の内部空間に配置したリング状に形成してある。前記弁体１５は、リング状の弁座１６の開口部分を閉じる常閉式に構成してある。【００２８】
図１中点線で示すように、貯留空間７に設定量以上の液体が貯留すると、弁体１５が弁座１６から浮上して開口部分を開き、液体が貯留空間７から排出空間８に流通して排出部３から排出される。そして、貯留空間７の液体の貯留量が設定量未満となると、弁体１５が下降して弁座１６にて受け止め支持されて開口部分を閉じる。前記第１区画部１０は、弁体１５が上下方向に沿って浮上及び下降するように案内している。【００２９】
図１中実線で示すように、弁座１６が弁体１５を受け止め支持する位置は上下方向において弁体１５の中央部に近い位置である。図１中点線で示すように、弁体１５が浮上するときの液面の位置は上下方向において弁体１５の下端部に近い位置である。このように、弁体１５において浮上するときの液面の位置を弁座１６が受け止め支持する位置よりも下位としている。ちなみに、弁体１５の径や弁体１５の重量を適宜変更することにより、弁体１５において浮上するときの液面の位置を弁座１６が受け止め支持する位置よりも下位とすることができる。
前記弁体１５において汚れが付着し易い位置は、弁体１５が浮上するときの液面の位置であり、この汚れが付着し易い位置は弁座１６が受け止め支持する位置よりも下位となる。したがって、弁座１６に汚れが付着するのを抑制できる。このように弁座１６に汚れが付着するのを抑制することによって、弁座１６と弁体１５とが汚れにより離れ難くなることを抑制して弁体１５の浮上を確実に行えるようにしている。【００３０】
前記弁座１６は、本体５の内部空間４に区画体９を挿入取付した状態において、排出部３の下端部３ａよりも低い位置に位置するように区画体９に配設してある。そして、液体が排出部３から排出する排出レベルを弁体１５が弁座１６から浮上する浮上レベルよりも高くすることによって、弁体１５の弁座１６からの浮上及び弁体１５の弁座１６への下降が短時間で繰り返されることを抑制して騒音の発生を抑制している。【００３１】
例えば、排出レベルと浮上レベルとが同じ高さであると、弁体１５が弁座１６から浮上すると同時に液体が搬出部３から排出することになり、弁体１５の浮上と同時に貯留空間７に貯留する液体の水位が低下する。したがって、受入部２から貯留空間７に流動する液体が微量である場合には、弁体１５が弁座１６から浮上してから直ぐに貯留空間７に貯留する液体の水位が浮上レベルよりも下降して弁体１５が弁座１６に下降する。そして、弁体１５が下降すると、その後直ぐに液体の水位が浮上レベルよりも上昇して弁体１５が弁座１６から浮上する。このように、弁体１５の弁座１６からの浮上及び弁体１５の弁座１６への下降が短時間で繰り返されることになる。そして、弁体１５と弁座１６とが接触する度に音が発生することから騒音の発生となる。
そこで、排出レベルを浮上レベルよりも高くすることによって、弁体１５が弁座１６から浮上してから液体が搬出部３から排出するまでに時間差を設けている。この時間差によって、受入部２から貯留空間７に流動する液体が微量である場合でも、弁体１５の弁座１６からの浮上及び弁体１５の弁座１６への下降が短時間で繰り返されることを抑制して騒音の発生を抑制している。【００３２】
また、弁座１６は、上下方向において第１区画部１０の下端部よりも上方側に配置してあり、第１区画部１０の弁座１６よりも下方側に延びる部分を立ち下がり部分１０ａとして設けている。そして、第１区画部１０の下端部と弁座１６との位置関係は、本体５の内部空間４に区画体９を挿入取付した状態において、第１区画部１０の下端部が弁座１６にて受け止め支持する弁体１５の下端部よりも下位となるように構成してある。このように立ち下がり部分１０ａを設けることにより、貯留空間７を本体５の底部にて反転するＵ字状の流路に形成して、貯留空間７に貯留する液体にて貯留空間７を水封するように構成してある。また、第１区画部１０の下端部を弁座１６にて受け止め支持する弁体１５の下端部よりも下位とすることにより、弁体１５が弁座１６から浮上するときには、貯留空間７に貯留する液体による貯留空間７の水封を常時行えるように構成してある。【００３３】
前記蓋体６と内部空間４に挿入した区画体９との間には、蓋体６に対して密着し且つ区画体９との間での摩擦係数を小さくしたシールド部材１７を設けてある。このシールド部材１７は、シリコンなどの樹脂により円盤状に形成してある。そして、シールド部材１７のうち、蓋体６と接触する側の上面が吸盤効果により蓋体６の裏面に密着する。また、シールド部材１７のうち、内部空間４に挿入取付した区画体９と接触する側の下面にすべり加工を施して、そのシールド部材１７の下面を区画体９との間での摩擦係数を小さくしている。【００３４】
前記蓋体６は、平面視で円形状に形成してあり、内部空間４に挿入した区画体９との間にシールド部材１７を介在させた状態で本体５及び蓋体６に形成したねじ部１８の螺合により本体５に取付可能である。
そして、蓋体６の本体５への取り付けにより蓋体６から上下方向での押圧力を受け、区画体９の一部を側壁部５ａの全周に亘って上下方向に沿った成分の力を作用させつつ密着する密閉部１４を区画体９及び本体５の側壁部５ａに備えている。この密閉部１４は、本体５の側壁部５ａに備える本体側密閉部１４ａと区画体９に備える区画体側密閉部１４ｂとから構成している。【００３５】
前記本体側密閉部１４ａは、側壁部５ａから内方側に突出する状態で側壁部５ａの全周に亘って設けた段部である。そして、本体側密閉部１４ａである段部は、本体５の周方向において受入部２の中央部に相当する位置を最上位とし且つ排出部３の中央部に相当する位置を最下位とするように本体５の周方向の全周に亘って一連に傾斜する状態で設けてある。
前記区画体側密閉部１４ｂは、区画体９の周方向の全周に亘って一連に傾斜する第２区画部１１の外方側端部であり、区画体９の周方向の全周に亘って設けてある。そして、区画体側密閉部１４ｂには、その区画体側密閉部１４ｂに上下から挟み込む状態で樹脂部材２０（例えば、エラストマ樹脂）を設けてある。【００３６】
前記本体５の内部空間４に区画体９を挿入取付した状態で、区画体９との間にシールド部材１７を介在させてねじ部１８の螺合により本体５に蓋体６を取り付ける。このとき、蓋体６が区画体９を下方側に押圧して、本体側密閉部１４ａ及び区画体側密閉部１４ｂが下方側への押圧力を受ける。本体側密閉部１４ａ及び区画体側密閉部１４ｂは、その下方側への押圧力により区画体側密閉部１４ｂを本体側密閉部１４ａに押し当てながら密着する。このように、本体５の側壁部５ａの全周に亘って一連に区画体側密閉部１４ｂと本体側密閉部１４ａとを密着して、貯留空間７と排出空間８との密閉を精度よく且つ的確に行っている。【００３７】
前記区画体側密閉部１４ｂに樹脂部材２０を設けているが、この樹脂部材２０にて、内部空間４に区画体９を挿入取付した状態で側壁部５ａの排出部３に向う排出空間８の一部８ａを排出部３の下端部３ａと同じ高さとする高さ調整部材２１を形成してある。
つまり、本体５の側壁部５ａの周方向において排出部３に相当する位置では、本体側密閉部１４ａである段部を排出部３の下端部３ａよりも下位に設けてある。したがって、内部空間４に区画体９を挿入取付したときに、排出部３に向う排出空間８の一部８ａが排出部３の下端部３ａよりも低くなる。そこで、この高さ調整部材２１を形成することにより、排出部３に向う排出空間８の一部での液体の貯留を抑制して液体の腐食の発生を抑制している。また、高さ調整部材２１を区画体側密閉部１４ｂに設ける樹脂部材２０にて兼用している。【００３８】
前記区画体９は、図６に示すように、上下反転した状態で内部空間４に挿入取付したときに内部空間４から上方側に突出する脚部１９を備えている。この脚部１９は、第１区画部１０の周方向に間隔を隔てて複数設けてあり、第１区画部１０の下端部から下方側に延出するように形成してある。上下反転した状態で区画体９を内部空間に挿入すると、脚部１９が内部空間４から上方側に突出して蓋体６を本体５に取り付けることができない。このようにして、区画体９を内部空間４に挿入するときに、上下方向での区画体９の向きを誤ることを抑制している。【００３９】
また、平面視における本体５の側壁部５ａの形状及び区画体９の形状が、内部空間４に区画体９を挿入するときの内部空間４に対する区画体９の水平方向での位置を適正位置に規制する形状に形成してある。前記本体５には、周方向において受入部２と排出部３との間の内側部から内方側に突出し且つその内端部を平面視において直線状とする突出部２２を設けてある。そして、平面視における本体５の側壁部５ａの形状が、図７（ａ）に示すように、一対の円弧部分同士を直線部分にて繋いだ細長の略楕円形状に形成してある。前記区画体９は、図７（ｂ）に示すように、平面視において一対の円弧部分同士を直線部分にて繋いだ細長の略楕円形状に形成してある。前記第１区画部１０は、平面視において略楕円形状である区画体９の中心よりも長手方向の一方側に偏倚した位置に配設してある。【００４０】
このように、平面視における本体５の側壁部５ａの形状及び区画体９の形状を細長の略楕円形状として少なくとも２つの内径を有する形状としてあり、内部空間４に対する区画体９の水平方向での位置を楕円形状の長手方向の端部同士を重複させる位置を適正位置としている。そして、内部空間４に対する区画体９の水平方向での位置が適正位置以外であると、内部空間４への区画体９の挿入取付を行えないようにしている。このようにして、区画体９を内部空間４に挿入取付するときに、内部空間４に対する区画体９の水平方向での位置を誤ることを抑制している。【００４１】
前記本体５及び区画体９は透明で、且つ、弁体１５は本体５及び区画体９に対して識別可能な有色（例えば、青色）である。そして、本体５の内部空間４に区画体９を挿入取付した状態において、作業者が本体５の外側から弁体１５の位置を視認できる。したがって、区画体９及び弁体１５を適正な位置に取り付けているか否かの確認を容易に行うことができる。【００４２】
また、蓋体６の外側部には、その周方向の全周にわたって反射体２３（例えば、反射テープ）を貼り付けてある。排水トラップ１を天井裏に設置した場合に、作業者が反射体２３に光を照射して排水トラップ１の配設位置を容易に認識できる。そして、この場合には、排水トラップ１を配設する排水経路の他にも、各種の経路を設置していることがある。そこで、例えば、排水トラップ１に設ける反射体２３を赤色とし且つ他の経路に設ける部材に黄色の反射体を設け、経路ごとに反射体を色分けすることもできる。【００４３】
〔別実施形態〕
（１）上記実施形態では、本体側密閉部１４ａを本体５の側壁部５ａの全周に亘って設けた段部とし且つ区画体側密閉部１４ｂを区画体９の周方向の全周に亘って設けているが、密閉部としては、区画体９の一部を側壁部５ａの一部に上下方向に沿った成分の力を作用させつつ密着するものであればよい。つまり、例えば、本体５の側壁部５ａに備える密閉部を側壁部５ａの周方向の一部に設けた段部とし、且つ、区画体９に備える密閉部を区画体９の周方向の一部に設けて実施することもできる。【００４４】
（２）上記実施形態では、本体側密閉部１４ａ及び区画体側密閉部１４ｂを一連に傾斜する状態で設けているが、例えば、本体側密閉部１４ａ及び区画体側密閉部１４ｂに上下方向で段差を付ける状態で設けることもでき、本体側密閉部１４ａ及び区画体側密閉部１４ｂを一連に設けなくてもよい。【００４５】
（３）上記実施形態では、本体側密閉部１４ａ及び区画体側密閉部１４ｂが蓋体６の本体５への取り付けにより蓋体６から上下方向での押圧力を受けるように構成してあるが、蓋体６以外の部材にて本体側密閉部１４ａ及び区画体側密閉部１４ｂに上下方向での押圧力を与えることもできる。【００４６】
（４）上記実施形態では、蓋体６がねじ部１８の螺合により本体５に取付可能であるが、蓋体６を本体５に嵌め込むことにより本体５に取付可能とする嵌合式に構成することもでき、蓋体６をどのようにして本体５に取り付けるかは適宜変更が可能である。【００４７】
（５）上記実施形態では、本体５の底部を平らな面状として、本体５の底部の全体を貯留空間７としているが、本体５の底部に段差を付けるなど、本体５の底部の形状を適宜変更して本体５の底部の全体を貯留空間７とすることも可能である。【００４８】
（６）上記実施形態では、平面視における本体５の側壁部５ａの形状及び区画体９の形状を略楕円形状としているが、例えば、矩形状とすることもでき、どのような形状とするかは適宜変更が可能である。【００４９】
（７）上記実施形態では、弁体１５としてボール状のものを例示しているが、例えば、弁体１５を水平軸心周りで揺動自在な板状体にて構成することもでき、弁体１５をどのような形態とするかは適宜変更が可能である。
【産業上の利用可能性】
【００５０】
本発明は、受入部と排出部とに連通する内部空間を備えた有底筒状の本体と、その本体の内部空間を閉塞する蓋体と、本体の内部空間を貯留空間と排出空間とに仕切る区画体とを備えた排水トラップに適応できる。
【図面の簡単な説明】
【００５１】
【図１】排水トラップの縦断面図
【図２】図１のＢ−Ｂ断面図
【図３】図１のＡ−Ａ断面図
【図４】排水トラップの外観斜視図
【図５】排水トラップの分解斜視図
【図６】区画体を上下反転して本体の内部空間に挿入した状態を示す図
【図７】平面視における本体の側壁部の形状及び区画体の形状を示す図
【符号の説明】
【００５２】
２          受入部
３          排出部
４          本体の内部空間
５          本体
６          蓋体
７          貯留空間
８          排出空間
９          区画体
１４        密閉部
１４ａ      本体の側壁部に備える本体側密閉部
１４ｂ      区画体に備える区画体側密閉部
１５        弁体
１６        弁座
１７        シールド部材
１８        ねじ部
１９        脚部
２０        樹脂部材
２１        高さ調整部材
【図１】
2007116531.tif 000003
【図２】
2007116531.tif 000004
【図３】
2007116531.tif 000005
【図４】
2007116531.tif 000006
【図５】
2007116531.tif 000007
【図６】
2007116531.tif 000008
【図７】
2007116531.tif 000009
【国際調査報告】
2007116531.tif 000010
2007116531.tif 000011
2007116531.tif 000012
2007116531.tif 000013